(57)【要約】【課題】大きなコストをかけずに、発送直前に記入内容を簡単に確認することを可能とする。【解決手段】所定の記入項目が定められた記入可能片１１と、記入可能片１１と一辺で連接され、記入項目の少なくとも一部を隠蔽する隠蔽片１２と、記入可能片１１と隠蔽片１２とを再剥離可能に粘着する再剥離粘着層１３とを備え、隠蔽片１２は、再剥離粘着層１３側の面１２Ｂに、記入可能片１１の記入項目に関連する内容が記載された記載欄１２ｂを備える。【選択図】　　　　図２
2004106374.tif 000002
【特許請求の範囲】
【請求項１】
所定の記入項目が定められた記入可能片と、
前記記入可能片と一辺で連接され、前記記入項目の少なくとも一部を隠蔽する隠蔽片と、
前記記入可能片と前記隠蔽片とを再剥離可能に粘着する再剥離粘着構造と、
を備える情報伝達シートにおいて、
前記隠蔽片は、前記再剥離粘着構造側の面に、前記記入可能片の記入項目に関連する内容が記載された記載欄を備えること
を特徴とする情報伝達シート。
【請求項２】
所定の記入項目が定められた記入可能片と、
前記記入可能片と一辺で連接され、前記記入項目の少なくとも一部を隠蔽する隠蔽片と、
前記記入可能片と前記隠蔽片とを再剥離可能に粘着する再剥離粘着構造と、
前記再剥離粘着構造を保護するための保護片と、
を備える情報伝達シートにおいて、
前記保護片は、前記再剥離粘着構造と接する側の面に、前記記入可能片の記入項目に関連する内容が記載された記載欄を備えること
を特徴とする情報伝達シート。
【請求項３】
請求項１又は請求項２に記載の情報伝達シートにおいて、
前記記載欄は、その記載事項が前記記入項目に対する注意書き欄及び／又はチェック欄であること
を特徴とする情報伝達シート。
【請求項４】
請求項１から請求項３までのいずれか１項に記載の情報伝達シートにおいて、
前記隠蔽片は、前記再剥離粘着構造側の面の少なくとも一部に、隠蔽性を高めるための隠蔽印刷部を備えること
を特徴とする情報伝達シート。
【発明の詳細な説明】
【０００１】
【発明の属する技術分野】
本発明は、記入されたプライバシー情報を隠蔽して郵送又は配送するのに適した情報伝達シートに関するものである。
【０００２】
【従来の技術】この種の情報伝達シートとして、例えば、エンドユーザーが、プライバシー情報（住所，氏名，年齢，電話番号，生年月日，性別，続柄，家族構成など）を記入して、何らかのサービスを受けたり、商品購入を申し込むために、それらのプライバシー情報を保護しながら、郵送又は配送することができる隠蔽ラベル付きシートが知られている。
【０００３】
図５は、従来の情報伝達シートの一例を示す図である。
従来の情報伝達シート３０は、所定の記入項目が定められた記入欄を有する記入可能片３１と、記入可能片３１と一辺で連接され、記入項目を隠蔽する隠蔽片３２と、記入可能片３１と隠蔽片３２とを再剥離可能に粘着する再剥離粘着層３３と、再剥離粘着層３３を保護するための保護紙片３４等とを備えている。
【０００４】
このような情報伝達シートのうちで、保護紙片３４の表面側に、記入内容と関連する内容が記載されている「口座振替申込用葉書用紙」が提案されている（例えば、特許文献１）。
この葉書用紙は、記入部分と記入に関する注意事項とが見開き状となるため、エンドユーザーにとっては記入しやすく、また、業者側としても誤記入が少なくなるため、利用しやすいものである。
【０００５】
【特許文献１】
特開平１１−７０７６７号公報
【０００６】
【発明が解決しようとする課題】
しかし、実際に申込を受け取っている業者側では、それでも、誤記入や記入漏れが発生しており、その都度、電話や電子メール等の通信手段によって連絡を取って確認せざるを得ず、これが膨大な作業負荷となっている。
このような作業負荷があるということは、業者側からすれば、人件費をはじめとするコストアップに直結しており、また、エンドユーザー側からすれば、確認の電話に出て話をすること、又は、電話連絡がつかないためにサービスや商品の購入が遅れることは、満足度の低下につながっており、いずれの側からしても、好ましいことではなかった。
【０００７】
そこで、本発明の課題は、大きなコストをかけずに、発送直前に記入内容を簡単に確認することができる情報伝達シートを提供することである。
【０００８】
【課題を解決するための手段】
前記課題を解決するために、請求項１の発明は、所定の記入項目が定められた記入可能片と、前記記入可能片と一辺で連接され、前記記入項目の少なくとも一部を隠蔽する隠蔽片と、前記記入可能片と前記隠蔽片とを再剥離可能に粘着する再剥離粘着構造と、を備える情報伝達シートにおいて、前記隠蔽片は、前記再剥離粘着構造側の面に、前記記入可能片の記入項目に関連する内容が記載された記載欄を備えることを特徴とする情報伝達シートである。
【０００９】
請求項２の発明は、所定の記入項目が定められた記入可能片と、前記記入可能片と一辺で連接され、前記記入項目の少なくとも一部を隠蔽する隠蔽片と、前記記入可能片と前記隠蔽片とを再剥離可能に粘着する再剥離粘着構造と、前記再剥離粘着構造を保護するための保護片と、を備える情報伝達シートにおいて、前記保護片は、前記再剥離粘着構造と接する側の面に、前記記入可能片の記入項目に関連する内容が記載された記載欄を備えることを特徴とする情報伝達シートである。
【００１０】
請求項３の発明は、請求項１又は請求項２に記載の情報伝達シートにおいて、前記記載欄は、その記載事項が前記記入項目に対する注意書き欄及び／又はチェック欄であることを特徴とする情報伝達シートである。
【００１１】
請求項４の発明は、請求項１から請求項３までのいずれか１項に記載の情報伝達シートにおいて、前記隠蔽片は、前記再剥離粘着構造側の面の少なくとも一部に、隠蔽性を高めるための隠蔽印刷部を備えることを特徴とする情報伝達シートである。
【００１２】
【発明の実施の形態】
以下、図面等を参照して、本発明の実施の形態について、さらに詳しくに説明する。
（第１実施形態）
図１及び図２は、本発明による情報伝達シートの第１実施形態を示した図である。
第１実施形態の情報伝達シート１０は、記入可能片１１と、隠蔽片１２と、再剥離粘着層１３と、保護片１４等とを備えている。
【００１３】
記入可能片１１は、表面１１Ａに郵便はがきの宛名欄１１ａを有し、裏面１１Ｂに所定の記入項目が定められた隠蔽情報記入欄１１ｂを有し、記入可能な紙片である。
隠蔽片１２は、記入可能片１１と一辺１１ｃで連接され、その隠蔽情報記入欄１１ｂの記入項目の少なくとも一部を隠蔽する隠蔽ラベル片である。
再剥離粘着層１３は、隠蔽片１２上に形成され、記入可能片１１と隠蔽片１２とを再剥離可能に粘着する再剥離粘着構造である。
保護片１４は、再剥離粘着層１３を保護するための紙片である。
【００１４】
この実施形態では、隠蔽片１２は、再剥離粘着層１３側の面１２Ｂに、記入可能片１１の記入項目に関連する内容が記載された記載欄１２ｂを備えている（図２参照）。
記載欄１２ｂは、その記載事項が記入可能片１１の記入項目に対する「注意書き欄」になっている。
例えば、「お申し込みいただく前に再度ご確認ください！！」の表題に下に、
◎　氏名へのフリガナは忘れていませんか
◎　捺印漏れはございませんか
◎　口座番号、名義人に間違いはありませんか
◎　ご記入日をお忘れなく
などの注意事項を記載することができる。
【００１５】
第１実施形態によれば、図２に示すように、記入片１１の隠蔽情報記入欄１１ｂに、記入項目を記入し、隠蔽片１３で隠蔽するために、保護片１４を剥離すると、記入片１１と同じ面の隠蔽片１２側に、記入項目に関連する内容、特に注意事項等を記載した記載欄１２ｂがあるので、隠蔽片１３で隠蔽する直前に、記入内容を今一度チェックすることができる。このため、誤記入や記入漏れを著しく減少させることができる。
【００１６】
（第２実施形態）
図３及び図４は、本発明による情報伝達シートの第２実施形態を示した図である。
なお、前述した第１実施形態と同様な機能を果たす部分には、末尾に共通した符号を付して、重複する説明を適宜省略する。
第２実施形態の情報伝達シート２０は、記入可能片２１と、隠蔽片２２と、再剥離粘着層２３と、保護片２４とを備え、さらに、記入可能片２１の他の辺２１ｄに、情報片２５を備えた高情報タイプのシートである。
情報片２５は、宣伝欄や、申込み特典キャンペーンのお知らせ欄を設けてもよいし、控え片として使用してもよい。
【００１７】
第２実施形態では、保護片２４は、図４に示すように、再剥離粘着層２３と接する側の面２４Ｂに、記入可能片２１の記入項目に関連する内容が記載された記載欄２４ｂを備えている。
記載欄２４ｂは、その記載事項が記入可能片１１の記入項目に対する「チェック欄」になっている。
例えば、「お申し込みいただく前に再度ご確認ください！！」の表題に下に、
□　氏名へのフリガナは忘れていませんか
□　捺印漏れはございませんか
□　口座番号、名義人に間違いはありませんか
□　ご記入日をお忘れなく
などのチェック事項を記載することができる。
【００１８】
第２実施形態によれば、記入片２１の隠蔽情報記入欄２１ｂに、記入項目を記入し、隠蔽片２３で隠蔽するために、図４に示すように、保護片２４を剥離すると、保護片２４の裏面側に、記入項目に関連する内容、特に注意事項等を記載したチェック記載欄２４ｂがあるので、隠蔽片２３で隠蔽する直前に、記入内容を今一度チェックすることができる。このため、誤記入や記入漏れを著しく減少させることができる。
【００１９】
（変形形態）
以上説明した実施形態に限定されることなく、種々の変形や変更が可能であって、それらも本発明の均等の範囲内である。
（１）　隠蔽片２２は、再剥離粘着層２３側の面の少なくとも一部に、外部から透視しにくくし、隠蔽性を高めるために、地紋，墨，銀ベタ印刷等の隠蔽印刷部を設けるようにしてもよい。
（２）　剥離構造は、再剥離再貼付可能な粘着剤を例に説明したが、一部に擬似接着構造を有する積層ラベルであってもよい。
【００２０】
（３）　葉書を想定して説明したが、郵便規則に適合しないサイズのものや、封筒、宅配便で運ぶもの、手渡しする給与袋などであってもよい。
また、封筒の場合には、粘着層をコの字型に塗った形態にすればよい。
【００２１】
【発明の効果】
以上詳しく説明したように、本発明によれば、隠蔽片の再剥離粘着構造側の面、又は、保護片の再剥離粘着構造と接する側の面に、前記記入可能片の記入項目に関連する内容が記載された記載欄を設けたので、記入項目に関連する内容、特に注意事項等を記入しておくことで、隠蔽直前に記入内容を今一度チェックできる。
【図面の簡単な説明】
【図１】本発明による情報伝達シートの第１実施形態を示した図である。
【図２】本発明による情報伝達シートの第１実施形態を示した図である。
【図３】本発明による情報伝達シートの第２実施形態を示した図である。
【図４】本発明による情報伝達シートの第２実施形態を示した図である。
【図５】従来の情報伝達シートの一例を示す図である。
【符号の説明】
１０　情報伝達シート
１１　記入可能片
１２　隠蔽片
１３　再剥離粘着層
１４　保護片
【図１】
2004106374.tif 000003
【図２】
2004106374.tif 000004
【図３】
2004106374.tif 000005
【図４】
2004106374.tif 000006
【図５】
2004106374.tif 000007